(57)【要約】【課題】携帯電話の電話番号における個人情報流出問題が解消できるようにする。【解決手段】電話番号管理部１１１は、ユーザ情報記憶部１１２に格納されたユーザ情報から、現時点における電話番号変更条件に該当するユーザを検索し、該当者が存在した場合、新規の電話番号を発行する。新規電話番号が発行されると、電子メール制御部１１３が、発行された新規電話番号と認証期限を所定フォーマットの電子メールに記載し、番号変更メールとして携帯電話１０３に対して送信する。【選択図】  図１
2007259045.tif 000002
【特許請求の範囲】
【請求項１】
主電話番号と副電話番号とが割り当てられている携帯電話の前記副電話番号を変更する電話番号更新装置であって、
前記主電話番号及び前記副電話番号とともに登録されている電話番号変更条件に一致する変更対象の携帯電話に対する新規電話番号を発行する電話番号管理手段と、
発行した前記新規電話番号を前記変更対象の携帯電話に送信する通信制御手段と
を少なくとも備え、
前記通信制御手段が、副電話番号が前記新規電話番号に変更されたことを示す変更完了通知を前記変更対象の携帯電話より受け付けると、前記電話番号管理手段が、登録されている前記副電話番号を前記新規電話番号に変更する
ことを特徴とする電話番号更新装置。
【請求項２】
請求項１記載の電話番号更新装置において、
前記電話番号変更条件は、期間であり、
前記電話番号管理手段は、前記期間毎に前記新規電話番号を発行する
ことを特徴とする電話番号更新装置。
【請求項３】
請求項１又は２記載の電話番号更新装置において、
前記電話番号管理手段は、
前記新規電話番号を前記変更対象の携帯電話に送信した後、所定期間内に前記変更完了通知を受け付けると、登録されている前記副電話番号を前記新規電話番号に変更する
ことを特徴とする電話番号更新装置。
【請求項４】
請求項１〜３のいずれか１項に記載の電話番号更新装置において、
前記通信制御手段は、前記携帯電話のユーザが視認可能な状態に、前記新規電話番号を前記変更対象の携帯電話に送信する
ことを特徴とする電話番号更新装置。
【請求項５】
請求項１〜４のいずれか１項に記載の電話番号更新装置において、
前記新規電話番号は、暗号化されて送信され、
承認された前記変更対象の携帯電話に対して暗号化された前記新規電話番号を複合するための鍵を前記携帯電話に送信する番号変更認証手段を備える
ことを特徴とする電話番号更新装置。
【請求項６】
主電話番号と副電話番号とが割り当てられ、前記副電話番号を変更する携帯電話であって、
新規電話番号を受信する通信制御手段と、
前記副電話番号を受信した前記新規電話番号に変更し、前記副電話番号を前記新規電話番号に変更したことを示す変更完了通知を、前記新規電話番号の送出元に送信する処理手段と
を備える
ことを特徴とする携帯電話。
【請求項７】
請求項６記載の携帯電話において、
前記通信制御手段が受信した前記新規電話番号をユーザが視認可能な状態に表示する表示手段を備える
ことを特徴とする携帯電話。
【請求項８】
請求項６又は７記載の携帯電話において、
前記通信制御手段は、暗号化された新規電話番号を受信し、ユーザの操作により入力されたパスワードを送信し、前記パスワードの送出先より、前記暗号化された新規電話番号を複合する鍵を受信し、
前記処理手段は、受信した前記鍵により前記暗号化された新規電話番号を複合し、前記副電話番号を前記新規電話番号に変更する
ことを特徴とする携帯電話。
【発明の詳細な説明】
【技術分野】
【０００１】
本発明は、主電話番号と副電話番号とが割り当てられている携帯電話の副電話番号を変更する電話番号更新装置及び携帯電話に関するものである
【背景技術】
【０００２】
携帯電話は、普及が急速に進み、多くの人が携帯電話を所有する状態となり、最も主要な通信の手段となっている。携帯電話では、一般的には、１つの携帯電話に対して１つの電話番号が固定的に割り当てられ、長期にわたって使用される形態となっている。これに対し、１つの携帯端末に対して動的に電話番号を割り当てるサービスが提案されている（特許文献１参照）。また、１つの携帯電話に対して複数の電話番号が設定可能なサービスも開始されている（特許文献２参照）。
【０００３】
【特許文献１】特開２００３−０４７０５１号公報
【特許文献２】特開２００２−０５７８０２号公報
【発明の開示】
【発明が解決しようとする課題】
【０００４】
ところで、例えば通信販売を利用しようとする時の連絡先など、一時的に連絡が必要な場合は、自身の所有する携帯電話に割り当てられている電話番号を、相手に通知することになる。このような場合、電話番号という重要な個人情報の流出の危険性があり、また、電話番号の情報が流出した場合、自身の携帯電話が、迷惑電話の対象になるという問題がある。一方、例えばＦＯＭＡ（登録商標）の「マルチナンバーサービス」のように、１つの携帯電話に対して複数の電話番号が設定可能であっても、全ての電話番号が長期間使用を前提としているため、個人情報流出問題の解決とはならない。
【０００５】
本発明は、以上のような問題点を解消するためになされたものであり、携帯電話の電話番号における個人情報流出問題が解消できるようにすることを目的とする。
【課題を解決するための手段】
【０００６】
本発明に係る電話番号更新装置は、主電話番号と副電話番号とが割り当てられている携帯電話の副電話番号を変更する電話番号更新装置であって、主電話番号及び副電話番号とともに登録されている電話番号変更条件に一致する変更対象の携帯電話に対する新規電話番号を発行する電話番号管理手段と、発行した新規電話番号を変更対象の携帯電話に送信する通信制御手段とを少なくとも備え、通信制御手段が、副電話番号が新規電話番号に変更されたことを示す変更完了通知を変更対象の携帯電話より受け付けると、電話番号管理手段が、登録されている副電話番号を新規電話番号に変更するようにしたものである。
【０００７】
上記電話番号更新装置において、電話番号変更条件は、期間であり、電話番号管理手段は、期間毎に新規電話番号を発行する。また、電話番号管理手段は、新規電話番号を変更対象の携帯電話に送信した後、所定期間内に変更完了通知を受け付けると、登録されている副電話番号を新規電話番号に変更するようにしてもよい。また、通信制御手段は、例えば電子メールを用いるなど、携帯電話のユーザが視認可能な状態に、新規電話番号を変更対象の携帯電話に送信するとよい。
【０００８】
上記電話番号更新装置において、新規電話番号は、暗号化されて送信されるものであり、承認された変更対象の携帯電話に対して暗号化された新規電話番号を複合するための鍵を携帯電話に送信する番号変更認証手段を備えるようにしてもよい。
【０００９】
また、本発明に係る携帯電話は、電話番号と副電話番号とが割り当てられ、副電話番号を変更する携帯電話であって、新規電話番号を受信する通信制御手段と、副電話番号を受信した新規電話番号に変更し、副電話番号を新規電話番号に変更したことを示す変更完了通知を、新規電話番号の送出元に送信する処理手段とを備えるようにしたものである。なお、例えば、新規電話番号が記載された電子メールを受信してこの電子メールを表示するなど、通信制御手段が受信した新規電話番号をユーザが視認可能な状態に表示する表示手段を備えるようにしてもよい。
【００１０】
上記携帯電話において、通信制御手段は、暗号化された新規電話番号を受信し、ユーザの操作により入力されたパスワードを送信し、パスワードの送出先より、暗号化された新規電話番号を複合する鍵を受信し、処理手段は、受信した鍵により暗号化された新規電話番号を複合し、副電話番号を新規電話番号に変更するようにしてもよい。
【発明の効果】
【００１１】
以上説明したように、本発明では、電話番号管理手段により、電話番号変更条件に一致する変更対象の携帯電話に対する新規電話番号を発行し、これを通信制御手段により変更対象の携帯電話に送信し、通信制御手段が、副電話番号が新規電話番号に変更されたことを示す変更完了通知を変更対象の携帯電話より受け付けると、電話番号管理手段が、登録されている副電話番号を新規電話番号に変更するようにした。このように、本発明によれば、例えば一定期間毎などのように電話番号変更条件に一致すると、副電話番号が変更されるようにしたので、携帯電話の電話番号における個人情報流出問題が解消できるようになるという優れた効果が得られる。
【発明を実施するための最良の形態】
【００１２】
以下、本発明の実施の形態について図を参照して説明する。図１は、本発明の実施の形態における電話番号更新装置が適用されるシステムの構成例を示す構成図である。図１に示すシステムは、電話番号更新装置１０１と、電話番号更新装置１０１と形態通信網１０２を介して接続可能な携帯電話１０３とから構成されている。
【００１３】
電話番号更新装置１０１は、電話番号管理部１１１とユーザ情報記憶部１１２と電子メール制御部１１３と番号変更認証部１１４とを備えている。電話番号管理部１１１は、ユーザ情報記憶部１１２に保存された携帯電話を所有するユーザの電話番号変更条件を参照し、携帯電話１０３の新規電話番号の発行処理を行う。電子メール制御部１１３は、携帯電話１０３と携帯通信網１０２を介して電子メールの送受信を行う。また、番号変更認証部１１４は、携帯電話１０３の電話番号を変更する際に、変更の認証を行う。
【００１４】
また、図２に示すように、携帯電話１０３は、通話制御部１３１と通信制御部１３２と処理部１３３と記憶部１３４と操作部１３５と表示部１３６とを備える。通話制御部１３１は、携帯通信網１０２と接続して通話処理を行う。通信制御部１３２は、インターネット接続及び電子メールの送受信などの通信処理を行う。処理部は、各部の動作制御を行う。記憶部１３４は、携帯電話１０３の制御プログラムや電話番号などを記憶している。操作部１３５は、例えばテンキーやカーソルキーなどから構成され、利用者による操作を受け付ける。また、表示部１３５は、情報の表示を行う。図１に示す携帯電話１０３は、後述する電話番号変更方法に特徴があり、ハードウェアや基本的な制御ソフトウェア、端末における複数電話番号の切り替え処理などは、既存の技術で実現できる。例えば、ＦＯＭＡ（登録商標）のマルチナンバーサービス利用時の電話番号切り替えと同様にして行えばよい。
【００１５】
次に、ユーザ情報記憶部１１２に記憶されているユーザ情報について説明する。図３に示すように、ユーザ情報２００は、携帯電話１０３を一意に示す端末識別情報と、契約中は永続的に使用する電話番号を示す主電話番号データと、契約中に一時的に使用する電話番号を示す副電話番号データと、副電話番号の変更条件（電話番号変更条件）と、変更承認用パスワードと、電話番号の変更中であることを示す変更中フラグと、ユーザの契約プランや住所及び利用サービスや口座などのその他契約情報とから構成される。
【００１６】
ここで、上述した副電話番号の変更条件は、例えば、「期間無期限、変更サイクル３か月」「期間無期限、変更サイクル１か月」「期間１年、変更サイクル１か月」「期間１か月、変更サイクル１週間」など、副電話番号の利用期間（契約期間）と、変更サイクルの情報で構成される。なお、電話番号変更条件の設定は、例えばｉモード（登録商標）メールの条件設定と同様に、ｉモード（登録商標）で所定のサーバに接続し、ブラウザなどを介して行えばよい。
【００１７】
なお、説明の便宜上、電話番号管理部１１１，ユーザ情報記憶部１１２，電子メール制御部１１３，及び番号変更認証部１１４が、同一の装置内に配置されているように示したが、これに限るものではなく、各々が個別のサーバとして分離していてもよい。また、これらは、ＣＰＵと主記憶装置と外部記憶装置（ユーザ情報記憶部１１２など）とネットワーク接続装置となどを備えたコンピュータ機器であり、主記憶装置に展開されたプログラムによりＣＰＵが動作することで、上述した各機能が実現される。
【００１８】
次に、図１に示す電話番号更新システムの動作例について図４のフローチャートを用いて説明する。まず、電話番号管理部１１１は、ユーザ情報記憶部１１２に格納されたユーザ情報から、現時点における電話番号変更条件に該当するユーザを検索し（ステップＳ１０１）、電話番号変更対象ユーザの有無を確認する（ステップＳ１０２）。例えば、前述したように、変更サイクルが電話番号変更条件として記憶されているので、当日が変更の期日となったユーザが、電話番号変更対象ユーザである。
【００１９】
該当者が存在した場合（ステップＳ１０２）、電話番号管理部１１１は、新規の電話番号を発行する（ステップＳ１０３）。この新規の電話番号とは、携帯電話１０３において副電話番号として用いられるものであり、他ユーザが契約している電話番号と重複しないように設定する。またこのとき、電話番号管理部１１１は、ユーザ情報記憶部１１２に記憶されているユーザ情報の変更中フラグに、所定の変更有効期限（以降認証期限）を設定し、電話番号の変更中であることを示すフラグをセットする。
【００２０】
このようにして電話番号管理部１１１が新規電話番号を発行すると、電子メール制御部１１３が、発行された新規電話番号と認証期限を所定フォーマットの電子メールに記載し、番号変更メールとして携帯電話１０３に対して送信する（ステップＳ１０４）。番号変更メールは、例えば、図５に示すように、メール本文５０１に、電話番号の変更を通知するものであることを示す「副電話番号変更通知」がタイトルとして記載され、また、発行された新規の副電話番号，認証期限、認証サーバ（番号変更認証部１１４）のアドレスが記載されている。また、送信される電子メールには、暗号鍵で暗号化された副電話番号を示すデータ５０２が添付されている。
【００２１】
上述したような電子メールが送信されると、これが携帯電話１０３（通信制御部１３２）に受信される（ステップＳ２０１）。上記電子メールを受信した携帯電話１０３では、処理部１３３が、受信した電子メールに記載されている「副電話番号変更通知」を識別して番号変更メールであることを認識する。この結果、処理部１１３の制御により、通信制御部１３２が、当該電子メールに記載されている認証サーバのアドレス情報に基づいて、番号変更認証部１１４に接続して端末識別情報を送信する（ステップＳ２０２）。端末識別情報は、記憶部１３４に記憶されている情報である。
【００２２】
上述したことにより、携帯電話１０３より送信された端末識別情報を受信した番号変更認証部１１４は（ステップＳ３０１）、受信した端末識別情報を元に、ユーザ情報記憶部１１２においてユーザ情報を検索し、変更中フラグがセットされておりかつ認証期限内であった場合、携帯電話１０３に変更承認用パスワードの入力を要求する（ステップＳ３０２）。この要求は、携帯電話１０３の通信制御部１３２により受信される（ステップＳ２０３）。要求を受信した携帯電話１０３では、処理部１３３が、パスワードの入力を要求する画面を表示部１３６に表示する。この表示を認識したユーザの操作部１３５の操作によりパスワードが入力されると、処理部１３３の制御により通信制御部１３２が入力されたパスワードを送信する（ステップＳ２０４）。
【００２３】
携帯電話から送信された変更承認用パスワードを受信すると、番号変更認証部１１４は、受信したパスワードの一致判定を行う（ステップＳ３０３）。この判定でパスワードが一致した場合、番号変更認証部１１４の通知により、電子メール制御部１１３が変更承認メールを作成し、作成した変更認証メールを携帯電話１０３に送信する（ステップＳ３０４）。変更承認メールには、番号変更メールに添付された変更副電話番号データを復号するためのデータ（鍵）が添付されている。
【００２４】
携帯電話１０３では、通信制御部１３２が変更承認メールを受信すると（ステップＳ２０５）、処理部１３３が、番号変更メール及び変更承認メールを両方受信したかどうかを確認する（ステップＳ２０６）。両方の電子メールが受信されている場合には、処理部１３３は、変更認証メールに添付されている鍵を用い、番号変更メールに添付された変更副電話番号データを復号し、記憶部１３４に記憶されている古い副電話番号データを変更副電話番号データに書き換える（ステップＳ２０７）。この書き換えが終了し、携帯電話１０３の記憶部１３４に記憶されている副電話番号データが変更されると、書き換えが完了して変更が完了したことを示す通知を電話番号管理部１１１に対して送信する（ステップＳ２０８）。
【００２５】
携帯電話１０３より送信された書き換え完了通知は、電子メール制御部１１３で受信さる（ステップＳ１０５）。この受信を検知した電話番号管理部１１１は、ユーザ情報記憶部１１２に記憶されている該当するユーザ情報２００の副電話番号データを書き換えて登録し、変更中フラグをリセットする（ステップＳ１０６）。なお、ステップＳ３０３の判定において、パスワードが一致しなかった場合、処理は終了される。また、ステップＳ２０６の判定において、両方の電子メールが受信されていない場合、副電話番号変更の処理は終了される。ところで、ステップＳ３０２のパスワード入力要求の送信の後、認証期限内に承認がなされない場合、今回の副電話番号変更の処理が終了され、次の変更期限まで副電話番号が継続されるようにしてもよい。
【００２６】
以上に説明したように、図１に示す電話番号更新装置によれば、例えば一定期間毎などのように電話番号変更条件に一致すると、副電話番号が変更されるようにした。例えば、副電話番号の有効期間を指定でき、かつ有効期間毎に自動的に更新される。このように、一時的に利用する副電話番号が、個々のユーザの事情に合わせて簡便に変更可能となる。従って、仮に副電話番号が流出しても、一定期間の後は利用できなくなるので、迷惑電話などが効果的に防止できるようになり、携帯電話の電話番号における個人情報流出問題が解消できる。
【００２７】
また、例えば、発行された新規電話番号は、電子メールに記載されて携帯電話に送信されるので、新規電話番号が携帯電話のユーザに対して視認可能な状態となり、また、認証が終了したことを示す電子メールが受信されると、副電話番号が新規電話番号に変更されるので、誤った書き換えや不正な書き換えなどが抑制（防止）されるようになる。諸事情で複数の電話番号を使い分けたい場合、例えばＦＯＭＡ（登録商標）の「マルチナンバーサービス」のように、１つの携帯電話に対して複数の電話番号を割り当てることもできるが、従来では、全ての番号が長期間使用を前提としており、頻繁に変更することはできなかった。今後、ナンバーポータビリティサービスが開始されると、ますます主電話番号が重要となるため、副電話番号を簡易に変更できることが求められるようになると予想される。このような要望に対し、本発明は有効な技術となる。
【図面の簡単な説明】
【００２８】
【図１】本発明の実施の形態における電話番号更新装置が適用されるシステムの構成例を示す構成図である。
【図２】携帯電話１０３の構成例を示す構成図である。
【図３】ユーザ情報記憶部１１２に記憶されているユーザ情報について説明する説明図である。
【図４】図１に示す電話番号更新システムの動作例について示すフローチャートである。
【図５】番号変更メールの記載内容などを示す説明図である。
【符号の説明】
【００２９】
１０１…電話番号更新装置、１０２…形態通信網、１０３…携帯電話、１１１…電話番号管理部、１１２…ユーザ情報記憶部、１１３…電子メール制御部、１１４…番号変更認証部、１３１…通話制御部、１３２…通信制御部、１３３…処理部、１３４…記憶部、１３５…操作部、１３６…表示部。
【図１】
2007259045.tif 000003
【図２】
2007259045.tif 000004
【図３】
2007259045.tif 000005
【図４】
2007259045.tif 000006
【図５】
2007259045.tif 000007